(57)【要約】【課題】前立ての第２ボタンを外していても、簡単に希望する場所に両前たてを留めることができ、さらに装身具により個人や企業のイメージを高め、かつ、クールビズ本来の快適性や清涼感を実感できることを課題とする。【解決手段】本発明は、シャツの両前立てに装着した２つのピンを固定することで、両前立てを簡単に留めるように工夫したものである。１つ目のピンは、一定の厚みと幅を持ったプラスチック製の材料で、上側の表面部に装身具を取り付け、下側に２つめのピンと固定させるための部位を備えた上前立てピンを得る。２つ目のピンは、一定の厚みと幅を持ったプラスチック製の材料で、上側に該１つめのピンと固定させるための部位を備えた、下前立てピンを得る。該上前立てピンと該下前立てピンを固定させることで、シャツの両前立てに装着させることを特徴とする留めピンを得る。【選択図】  図３
2015147007.tif 000002
【特許請求の範囲】
【請求項１】
１つめのピンは、一定の厚みと幅を持ったプラスチック製の材料で、右側で折り曲り、上側の表面飾り部に装身具を取り付け、下側を上側より長くし、下側の端部を下方に湾曲させてＲ部を設け、下側に２つめのピンと固定させるための部位を備えた上前立てピンであり、２つ目のピンは、一定の厚みと幅を持ったプラスチック製の材料で、左側で折り曲げ、かつ下側を上側より長くし、下側の端部を下方に湾曲させてＲ部を設け、上側に該１つめのピンと固定させるための部位を備えた、下前立てピンであり、該上前立てピンと該下前立てピンを固定させることで、シャツの両前立てに装着させることを特徴とする留めピン。
【請求項２】
請求項１の固定させるための部位として、板磁石、面ファスナーのいずれか１つをピン固定具として取り付けて固定させることで、シャツの両前立てに装着させることを特徴とする請求項１の留めピン
【請求項３】
請求項１の固定させるための部位については、１つめのピンは、下側に一体となった差込板４を設けた上前立てピン２Ａとし、２つめのピンは、上側に一体となった収納穴５を設けた下前立てピン３Ａとし、上前立てピン２Ａの差込板を下前立てピン３Ａに差込み左右にスライドさせて固定させることで、シャツの両前立てに装着させることを特徴とする請求項１の留めピン
【請求項４】
上前立てピンの上側の幅を１とすると上前立てピンの下側の幅、下前立てピンの上側及び下側の幅は２以上３以下とした請求項２又は請求項３の留めピン。
【発明の詳細な説明】
【技術分野】
【０００１】
男性用女性用シャツの襟元、胸元の固定に使用する留ピン、装身具に関する。
【背景技術】
【０００２】
地球規模の温暖化防止対策として、クールビズと称してノーネクタイ姿が一般化しているが、襟元や胸元の乱れによって“だらしなく”感じる人は少なくはない。（図２参照）
特に、サラリーマンにとっては企業イメージを損ねてしまうことも十分考えられるものである。
このような問題点を解決するために、前立てのボタンを外していても、ボタン間のシャツの上前立てと下前立てをピンで留め襟元や胸元の乱れをなくし、装身具としてアクセントをつけることで見た目を良くし、個人および企業のイメージを高めることができ、かつ、クールビズ本来の快適性や清涼感を実感できる。（図３参照）なお、前立てとは、シャツの左右を合わせた部分を称し、ボタンが付いているのが下前立て、ボタン穴が付いているのが上前立てと称する。（図１参照）
【先行技術文献】
【特許文献】
【０００３】
【特許文献１】ＷＯ  ０３／００９７１８
【特許文献２】特開２０１１−６２４８８
【発明の概要】
【発明が解決しようとする課題】
【０００４】
これまでに、ボタン穴やボタンに留具を取り付けたものはあるが、希望する場所に簡単に取り付けることができない。（例えば特許文献１参照）
図４のようなＳ字型の形状をした一体型となっているものはあるが、シャツを着用した上では、手探りで両前立てに装着する必要があり、装着に時間がかかったり、装着できないこともある。（例えば特許文献２参照）これらを解決するために、前立ての第２ボタンを外していても、簡単に希望する場所に両前たてを留めることができるようにすることで襟元や胸元の乱れをなくし、さらに装身具としてアクセントをつけることで見た目を良くし、個人および企業のイメージを高めることができ、かつ、クールビズ本来の快適性や清涼感を実感できることを課題とする。
【課題を解決するための手段】
【０００５】
本発明は、シャツの両前立てに装着した２つのピンを固定することで、両前立てを簡単に留めるように工夫したものである。
請求項１の本発明の１つ目のピンは、図１０、図１１のように、一定の厚みと幅を持ったプラスチック製の材料で、右側で折り曲り、上側の表面飾り部に装身具を取り付け、下側を上側より長くし、下側の端部を下方に湾曲させてＲ部を設け、下側に２つめのピンと固定させるための部位を備えた上前立てピンを
得る。２つ目のピンは、図１２、図１３のように、一定の厚みと幅を持ったプラスチック製の材料で、左側で折り曲り、かつ下側を上側より長くし、下側の端部を下方に湾曲させてＲ部を設け、上側に該１つめのピンと固定させるための部位を備えた、下前立てピンを得る。
【０００６】
請求項２の発明は、請求項１の固定させるための部位として、図５のようにピン固定具として板磁石、面ファスナーのいずれか１つを接着剤で張り付けて請求項１の留めピンを得る。
【０００７】
請求項３の発明は、請求項１の固定させるための部位として、図１４、図１５のように、１つめのピンとして下側に一体となった差込板４を設けた上前立てピン２Ａを得る。次に図１６、図１７のように、２つ目のピンとして、上側に一体となった収納穴５を設けた下前立てピン３Ａを得る。上前立てピンと下前立てピンを固定させることで、請求項３の留ピンを得る。
【０００８】
請求項４の発明は、図１１、図１３、図１５、図１７のように上前立てピンの上側の幅を１とすると上前立てピンの下側の幅、下前立てピンの上側及び下側の幅は２以上３以下とした請求項２又は請求項３の留めピンを得る。
【発明の効果】
【０００９】
本発明は上前立てピンと下前立てピンの２つに分離させることによって簡単にシャツの下前立て10と上前立て11を留めることができ、襟元または胸元の乱れを抑え、装身具としても使用することができる。
【００１０】
本発明の請求項１の２つのピン共に、下側を上側より長くし、下側の端部を下方に湾曲させてＲ部を設けることで、上下の前立てを上下の前立てピンに装着する際に、スムースにピンの間に入ることができる。
【００１１】
図５のように上前立てピン２の下側と図６のように下前立てピン３の上側に、板磁石を接着剤で貼り付けることで、下前立て10に下前立てピン３を、上前立て11に上前立てピン２を装着後に２つのピンが、図７のように磁力によって固定され、襟元または胸元の乱れを抑えることになり、かつ、脱落や紛失の防止など保管時に２つのピンが分離しないことで管理が容易になる。
【００１２】
図５のように上前立てピン２の下側と図６のように下前立てピン３の上側に、面ファスナーを接着剤で貼り付けることで、下前立て10に下前立てピン３を、上前立て11に上前立てピン２を装着後に、図７のように２つのピンを圧着することで固定され、襟元または胸元の乱れを抑えることになり、かつ、脱落や紛失の防止と保管時に２つのピンが分離しないことで管理が容易になる。
【００１３】
図８のように上前立てピン２Ａの差込板4に下前立てピン３Ａの収納穴5を差込み左右にスライドさせて図９のように固定させることで、襟元または胸元の乱れを抑えることになり、かつ、脱落や紛失の防止と保管時に２つのピンが分離しないことで管理が容易になる。
【００１４】
図１０、図１１のように表面飾り部分６は、装身具としてデザインしたものや、企業や公的機関のシンボルマークや社章をデザインし、金属、プラスチック、自然石、貝類を使って加工したものを表面飾り部６に接着剤によって張り付けることで、公的機関や企業イメージを重要視する企業に勤務する人、または対外イメージを重要視される人（販売員等）などのイメージを向上させることができる。
【図面の簡単な説明】
【００１５】
【図１】ワイシャツの説明図
【図２】ワイシャツの襟元または胸元の乱れた図
【図３】本発明の留ピンを装着した図
【図４】S字型の形状をした一体型となったピンの断面図
【図５】上前たてピン2に取り付けるピン固定具の断面図
【図６】下前立てピン3に取り付けるピン固定具の断面図
【図７】上前立てピン２と下前立てピン３が一体となった断面図
【図８】上前立てピン２Aと下前立てピン３Aがスライドする前の断面図
【図９】上前立てピン２Aと下前立てピン３Aがスライドした後の断面図
【図１０】本発明の上前立てピンの断面図
【図１１】本発明の上前立てピンの斜視図
【図１２】本発明の下前立てピンの断面図
【図１３】本発明の下前立てピンの斜視図
【図１４】本発明のスライド式の上前立てピン2Ａの断面図
【図１５】本発明のスライド式の上前立てピン2Ａの斜視図
【図１６】本発明のスライド式の下前立てピン3Ａの断面図
【図１７】本発明のスライド式の下前立てピン3Ａの斜視図
【図１８】本発明のスライド式の固定用差込板の平面図とピン収納穴に          差し込み板を挿入した時の平面図
【発明を実施するための形態】
【００１６】
本発明は、シャツの両前立てに装着した２つのピンを固定することで、両前立てを簡単に留めるように工夫したものである。
請求項１の本発明の１つ目のピンは、図１０、図１１のように、一定の厚みと幅を持ったプラスチック製の材料で、右側で折り曲り、上側の表面部に装身具を取り付け、下側を上側より長くし、下側の端部を下方に湾曲させてＲ部を設け、下側に２つめのピンと固定させるための部位を備えた上前立てピンを得る。２つ目のピンは、図１２、図１３のように、一定の厚みと幅を持ったプラスチック製の材料で、左側で折り曲り、かつ下側を上側より長くし、下側の端部を下方に湾曲させてＲ部を設け、上側に該１つめのピンと固定させるための部位を備えた、下前立てピンを得る。
そこで図３のように、該上前立てピンと該下前立てピンを固定させることで、シャツの両前立てに装着させることを特徴とする留めピン１を得て、シャツの前立てのボタン間の希望する場所に簡単に両前立てを留めることができるようになる。
【００１７】
請求項２の発明は、請求項１の固定させるための部位として、図５、図６のようにピン固定具として板磁石、面ファスナーのいずれか１つを接着剤で張り付けて請求項１の留めピンを得る。そこで、図７のように、下前立てピン3を下前立て10に装着し、上前立てピン2を上前立て11に装着後に２つのピンを固定させることで、シャツの前立てのボタン間の希望する場所に、簡単に両前立てを留めることができるようになる。
【００１８】
請求項３の発明は、請求項１の固定させるための部位として、図１４、図１５のように、１つめのピンとして下側に一体となった差込板４を設けた上前立てピン２Ａを得る。次に図１６、図１７のように、２つ目のピンとして、上側に一体となった収納穴５を設けた下前立てピン３Ａを得る。上前立てピンと下前立てピンを固定させることで、請求項３の留ピンを得る。図８のように下前立てピン３Ａを下前立て10に装着し、上前立てピン２Ａを上前立て11に装着後に上前立てピン２Ａの差込板を下前立てピン３Ａの収納穴に差込み、左右にスライドさせて図９のように固定させることで、シャツの前立てのボタン間の希望する場所に、簡単に両前立てを留めることができるようになる。
【００１９】
請求項４の発明は、図１１、図１３、図１５、図１７のように上前立てピンの上側の幅を１とすると上前立てピンの下側の幅、下前立てピンの上側及び下側の幅は２以上３以下とした請求項２又は請求項３の留めピンを得る。これらの幅については、前立ての上に装着される上前立てピンの上側のピンの上側を狭くすることで、見た目の良い幅となり、上前立てピンの下側や下前立てピンの幅を広くすることで、シャツの下前立て10と上前立て11をしっかり固定させることができる。
【００２０】
本発明の留ピンの材料は、加工が容易なプラスチックを使用し、金型を作成し成型して発明の留めピンを製造する。
【実施例１】
【００２１】
以下実施例によって、本発明を更に詳細に説明するが、本発明はこれら実施例に限定されるものではない。
上前立てピン２の上側の長さを３５ｍｍ、幅を１０ｍｍ、下側の幅を２０ｍｍ、長さを４０ｍｍのプラッスチック製のピンを作り、更に下側の中央部に、ピン固定具として面ファスナーを接着剤で取り付けた。下前立てピン３の上部の幅２０ｍｍ、長さ３５ｍｍ、下部の幅２０ｍｍ、長さ４０ｍｍのプラッスチック製のピンを作り、更に上側の中央部に、ピン固定具として面ファスナーを接着剤で取り付けた。次に、下前立て１０に下前立てピン3を装着し、更に上前立て１１に上前立てピンを装着した。そこで上前立てピン2の面ファスナーと下前立てピン３の面ファスナーを圧着して固定させた。その結果、発明した留めピンがシャツにしっかり装着ができ、かつ、襟元または胸元の乱れを抑えて見た目を良くすることができた。
【実施例２】
【００２２】
上前立てピン２Ａの上側の長さを３５ｍｍ、幅を１０ｍｍ、下側の幅を２０ｍｍ、長さを４０ｍｍ、更に下側に幅１０ｍｍ、長さ４０ｍｍの差し込み板４を一体としたプラッスチック製のピンを作った。次に下前立てピン３Ａの上側の幅２０ｍｍ、長さ３５ｍｍ、下側の幅２０ｍｍ、長さ４０ｍｍ、更に上側に幅１３ｍｍ、長さ３５ｍｍの収納穴５を一体としたプラッスチック製のピンを作った。そこで、下前立て１０に下前立てピン3Ａを装着し、更に上前立て１１に上前立てピン２Ａを装着した。その後、上前立てピン2Ａの差込板４を下前立てピン３Ａの収納穴５に差し込み、それぞれのピンを左右にスライドさせて、固定させた。その結果、発明した留めピンがシャツにしっかりと装着でき、かつ、襟元または胸元の乱れを抑えて見た目を良くすることができた。
【符号の説明】
【００２３】
1    留ピン
2    上前立てピン
2Ａ  上前立てピン
3    下前立てピン
3Ａ  下前立てピン
4    差込板
5    収納穴
6    表面飾り部
10   下前立て
11   上前立て
【図１】
2015147007.tif 000003
【図２】
2015147007.tif 000004
【図３】
2015147007.tif 000005
【図４】
2015147007.tif 000006
【図５】
2015147007.tif 000007
【図６】
2015147007.tif 000008
【図７】
2015147007.tif 000009
【図８】
2015147007.tif 000010
【図９】
2015147007.tif 000011
【図１０】
2015147007.tif 000012
【図１１】
2015147007.tif 000013
【図１２】
2015147007.tif 000014
【図１３】
2015147007.tif 000015
【図１４】
2015147007.tif 000016
【図１５】
2015147007.tif 000017
【図１６】
2015147007.tif 000018
【図１７】
2015147007.tif 000019
【図１８】
2015147007.tif 000020